(57)【要約】【課題】空気清浄装置の捕煙性能を維持することができる上に、捕煙範囲外に排出された煙も置排気手段により室外に排出され、非喫煙空間に汚染空気が流出することなく、各信号手段を受け空気清浄装置と排気装置喫煙室内を連動させることで、必要風量以上の能力を出さず、全体の消費電力を抑えることができ、喫煙室内を清浄に保つことができる喫煙室を提供することを目的とする。【解決手段】非喫煙空間の中を区画して形成した喫煙室１と、喫煙室内の排気を屋外に排出するための排気装置２と、室内の空気を循環させながら清浄雰囲気を形成する空気清浄装置３と、前記喫煙室の壁面に非喫煙空間からの空気を前記喫煙室内に吸引する給気口４と、前記給気口に風速信号手段５と、室内に一酸化炭素濃度信号手段６と、粉塵濃度信号手段７とを設け、前記信号と連動して排気装置の風量を変化させる制御装置８を備えた喫煙室。【選択図】図１
2005308237.tif 000002
【特許請求の範囲】
【請求項１】
非喫煙空間の中を区画して形成した喫煙室と、喫煙室内の排気を屋外に排出するための排気装置と、室内の空気を循環させながら清浄雰囲気を形成する空気清浄装置と、前記喫煙室の壁面に非喫煙空間からの空気を前記喫煙室内に吸引する給気口と、前記給気口に風速信号手段を備えた排気装置の風量を変化させる喫煙室。
【請求項２】
非喫煙空間の中を区画して形成した喫煙室と、喫煙室内の排気を屋外に排出するための排気装置と、室内の空気を循環させながら清浄雰囲気を形成する空気清浄装置と、前記喫煙室の壁面に非喫煙空間からの空気を前記喫煙室内に吸引する給気口と、室内に設けた粉塵濃度信号手段と、一酸化炭素濃度信号手段を備えた排気装置の風量を変化させる喫煙室。
【請求項３】
非喫煙空間の中を区画して形成した喫煙室と、喫煙室内の排気を屋外に排出するための排気装置と、室内の空気を循環させながら清浄雰囲気を形成する空気清浄装置と、前記喫煙室の壁面に非喫煙空間からの空気を前記喫煙室内に吸引する給気口と、前記給気口に設けた風速信号手段と、室内に設けた粉塵濃度信号手段と、一酸化炭素濃度信号手段とを設け、前記風速信号手段と粉塵濃度信号手段と前記一酸化炭素濃度信号手段を連動して排気装置の風量を変化させる制御装置を備えた喫煙室。
【請求項４】
風速信号手段が一定値以上になるまで前記排気装置の風量を増加させる制御装置を備えた請求項１または３記載の喫煙室。
【請求項５】
一酸化炭素濃度信号が一定値未満になると給気口が閉鎖し、排気装置を停止し、空気清浄装置を運転する請求項２または３記載の喫煙室。
【請求項６】
複数個の給気口を設けて、風速信号手段を備えた給気口の開口面積が、その他の給気口の開口面積よりも大きい請求項１、３または４記載の喫煙室。
【請求項７】
給気口の位置が、前記空気清浄装置の吹出口よりも高く空気清浄装置の吸込口よりも低い請求項１、２、３、４、５または６記載の喫煙室。
【請求項８】
信号手段を制御装置で認識し、現在の喫煙室内の状態を表示する表示器を備えた請求項１、２または３記載の喫煙室。
【請求項９】
粉塵濃度が一定値以下になると空気清浄装置が停止する請求項２、３、４、５、６、７、８または９記載の喫煙室。
【請求項１０】
一酸化炭素濃度信号が一定値以上になると給気口が開放し、排気装置と空気清浄装置を運転する請求項２、３、５、６、７または８記載の喫煙室。
【請求項１１】
給気口に開閉可能な機構を設けた請求項２、３、４、５、６、７、８または９記載の喫煙室。
【発明の詳細な説明】
【技術分野】
【０００１】
本発明は、喫煙室に関し、喫煙などによって喫煙室内の空気が汚染されるのを防止し、かつ喫煙室から非喫煙空間に汚染空気が漏れて流出しないような気流を生じさせ、分煙性能を向上させた喫煙室に関するものである。
【背景技術】
【０００２】
喫煙による煙草の煙は喫煙者ばかりでなく、副流煙に含まれる有害物質により周辺の非喫煙者（間接喫煙者）にも悪影響を及ぼすことから、生活空間や作業空間において喫煙者と非喫煙者の共存が深刻な社会問題となっている。ビル管理法により汚染物質濃度が規定されるなど社会的背景から、喫煙室を設けて分煙化を図る企業が増加する傾向にある。喫煙室には、テーブル型やカウンター型の空気清浄装置、あるいは、壁掛け型・天井埋込型の空気清浄装置を置いて、発生したタバコの煙を拡散させる前に捕集したり吸い殻を直ちに処理するなどをして喫煙室内の悪臭を防いでいる（例えば特許文献１参照）。
【特許文献１】特開２００２−１４７８０５号公報
【発明の開示】
【発明が解決しようとする課題】
【０００３】
しかしながら、空気清浄装置は煙状の粒子物質は捕集することはできるが、一酸化炭素、二酸化炭素、その他の有害なガス体は除去できないので、これらは再び喫煙室内に戻される。ガス体の捕集は通常吸着や光触媒を利用した脱臭フィルタなどを用いているが、脱臭フィルタを１回通過させるだけでは臭気などは除去し難く、喫煙室内のガス体濃度が徐々に高くなり完全な空気浄化とは云えない。喫煙室内に排気装置を備えた場合、喫煙室の給気口の開口面積が広すぎると排気装置の処理風量によって空気清浄装置の吹出口から排出される気流が給気口の通過風速よりも速くなり、非喫煙空間に汚染空気が流出し、非喫煙空間をも汚染していくことがある。
【０００４】
また、給気口の通過風速が一定値を満足させたとしても、喫煙室内の粉塵濃度を低く抑えるためには大風量の排気装置が必要となる。
【０００５】
さらに、前記排気装置と空気清浄装置を備えても、必要処理能力以上の運転をすることで、本来の目的である喫煙などによって喫煙室内の空気が汚染されるのを防止し、かつ喫煙室から煙が漏れて流出しないような気流を生じさせ、分煙性能を向上させる効果以外に、喫煙室内で冷暖房をしている場合には、冷気や暖気をも必要以上に流出させてしまうことになり、また全体の消費電力が増加する。
【０００６】
また、現在、喫煙室内の空気清浄効果や非喫煙空間に喫煙室内の汚染空気が流出していないかを確認する手段として検知管を用いるが、この方法では断続の測定しか行うことができず、継続的にまた恒久的に確認することができない。
【０００７】
本発明は、上記の課題を解決するためになされたもので、空気清浄装置の捕煙性能を維持することができる上に、捕煙範囲外に排出された煙も排気手段により室外に排出され、非喫煙空間に汚染空気が流出することなく、各信号手段を受け空気清浄装置と排気装置を連動させることで、必要風量以上の能力を出さず、全体の消費電力を抑えることができ、喫煙室内を清浄に保つことができる喫煙室を提供することを目的とする。
【課題を解決するための手段】
【０００８】
上記課題を解決するために、本発明の喫煙室は、非喫煙空間の中を区画して形成した喫煙室と、喫煙室内の排気を屋外に排出するための排気装置と、室内の空気を循環させながら清浄雰囲気を形成する空気清浄装置と、前記喫煙室の壁面に非喫煙空間からの空気を前記喫煙室内に吸引する給気口と、前記給気口に風速信号手段を備えた排気装置の風量を変化させるものである。
【０００９】
また、非喫煙空間の中を区画して形成した喫煙室と、喫煙室内の排気を屋外に排出するための排気装置と、室内の空気を循環させながら清浄雰囲気を形成する空気清浄装置と、前記喫煙室の壁面に非喫煙空間からの空気を前記喫煙室内に吸引する給気口と、室内に設けた粉塵濃度信号手段と、一酸化炭素濃度信号手段を備えた排気装置の風量を変化させるものである。
【００１０】
また、非喫煙空間の中を区画して形成した喫煙室と、喫煙室内の排気を屋外に排出するための排気装置と、室内の空気を循環させながら清浄雰囲気を形成する空気清浄装置と、前記喫煙室の壁面に非喫煙空間からの空気を前記喫煙室内に吸引する給気口と、前記給気口に設けた風速信号手段と、室内に設けた粉塵濃度信号手段と、一酸化炭素濃度信号手段とを設け、前記信号とを連動して排気装置の風量を変化させる制御装置を備えたものである。
【００１１】
また、風速信号手段が一定値以上になるまで前記排気装置の風量を増加させる制御装置を備えたものである。
【００１２】
また、一酸化炭素濃度信号が一定値未満になると給気口が閉鎖し、排気装置を停止し、空気清浄装置を運転するものである。
【００１３】
また、複数個の給気口を設けて、風速信号手段を備えた給気口の開口面積が、その他の給気口の開口面積よりも大きいものである。
【００１４】
また、給気口の位置が、前記空気清浄装置の吹出口よりも高く空気清浄装置の吸込口よりも低いものである。
【００１５】
また、信号手段を制御装置で認識し、現在の喫煙室内の状態を表示する表示器を備えたものである。
【００１６】
また、粉塵濃度が一定値以下になると空気清浄装置が停止するものである。
【００１７】
また、一酸化炭素濃度信号が一定値以上になると給気口が開放し、排気装置は運転、空気清浄装置は運転するものである。
【００１８】
また、給気口は開閉可能な機構を設けたものである。
【発明の効果】
【００１９】
本発明の喫煙室は上記構成を有し、空気清浄装置の捕煙性能を維持することができる上に、捕煙範囲外に排出された煙も排気手段により室外に排出され、非喫煙空間に汚染空気が流出することなく、各信号手段を受けて空気清浄装置と排気装置喫煙室内を連動させることで、必要風量以上の能力を出さずに全体の消費電力を抑えることができ、喫煙室内を清浄に保つことによって喫煙室を提供することができる。
【００２０】
また、風速信号手段が一定値以上になるまで前記排気装置の風量を増加させる制御装置を備えたので、給気口の大きさに関わらず、常に非喫煙空間から喫煙室内に向かって一定値以上の通過風速を維持することができる。
【００２１】
また、一酸化炭素濃度信号が一定値未満になると給気口が閉まり、排気装置が停止して、空気清浄装置を運転することにより、喫煙室内の汚染空気が非喫煙空間に流出することなく喫煙室内の空気清浄効果を得ることができる。
【００２２】
さらに、排気装置を停止することにより全体の消費電力を低減する効果があり、熱エネルギーの経済的効果がある。
【００２３】
また、複数個の給気口を設けた時、風速信号手段を備えた給気口の開口面積をその他の給気口の開口面積よりも大きくしたので、風速信号手段を備えた給気口よりもその他の給気口の通過風速が速くなり、非喫煙空間に汚染空気が流出することのない喫煙室ができる。
【００２４】
また、給気口が空気清浄装置の吹出口よりも高く、空気清浄装置の吸込口よりも低くしたことで、空気清浄装置の吹出口から出た風が、非喫煙空間から給気口を通過し流入する風速よりも速い場合でも、直接給気口から非喫煙空間に流出しない喫煙室ができる。
【００２５】
また、信号手段を制御装置で認識し、現在の喫煙室内の状態を表示する表示器を備えたことで、現在の喫煙室内の状態を連続的に表示することができる。
【００２６】
また、粉塵濃度が一定値以下になると空気清浄装置が停止することで、全体の消費電力の低減に効果がある。
【発明を実施するための最良の形態】
【００２７】
以下、本発明の実施の形態を、図面を参照しながら説明する。
【００２８】
（実施の形態１）
図１は、本発明の実施の形態である喫煙室の概略図である。図１において、１は喫煙室、２は排気装置、３は空気清浄装置、４は給気口、５は風速信号手段、６は一酸化炭素濃度信号手段、７は粉塵濃度信号手段、８は制御装置、９は表示器である。図示しないが排気装置には排気ファンが設けられている。
【００２９】
次に、動作について図１により説明する。空気清浄装置３は、空気清浄装置３の上面にある吸込口１０から煙草の煙を含む汚染空気を吸引し、フィルター１１を介して、ファン１２によって吸引され、除塵・脱臭され、清浄な空気に復元される。この濾過された空気は空気清浄装置３の下部の吹出口１３から四方へ向けて排出される。排出流１４は吹出口１３からガス成分を含んで排出されている。また、吸込口１０の高さは、煙草の吸い方によって異なるが、立って吸う場合を想定し、ここでは１００ｃｍとした。また吹出口１３の高さを１０ｃｍとした。
【００３０】
また、排出流１４は、側壁に衝突し側壁に沿って流れた後、天井に衝突し天井面に沿って流れて、天井に設けた排気装置２を通じて屋外に排出される。排気装置２を運転する事により、非喫煙空間の汚染されていない清浄空気が給気口４を通過し喫煙室１に流入される。給気口４に設けた風速信号手段５によって給気口４の風速信号を制御装置８に伝達する。制御装置８では給気口４における風速が一定値以上になるように排気装置２に制御信号を送信する。信号を受信した排気装置２は一定値以上の風速信号になるように風量を変化させる。なお、非喫煙空間より喫煙室に吸入される給気口４を通過する風速は０．２ｍ／ｓとした。給気口４の高さは、空気清浄装置３の吸込口１０よりも低く、吹出口１３よりも高く設けるため、ここでは５０ｃｍとした。
【００３１】
喫煙室１内に、一酸化炭素濃度信号手段６によって一酸化炭素濃度信号を制御装置８に伝達する。信号を受信した制御装置８より一酸化炭素濃度信号が一定値未満になるように排気装置２に信号を伝達する。信号を受信した排気装置２は一酸化炭素濃度信号が一定値未満になるように風量を変化させる。ここでは一酸化炭素濃度信号１０ｐｐｍ未満とした。
【００３２】
喫煙室１内に、粉塵濃度信号手段７によって粉塵濃度信号を制御装置８に伝達する。信号を受信した制御装置８より粉塵濃度信号が一定値未満になるように排気装置２信号を伝達する。信号を受信した排気装置２は粉塵濃度信号が一定値未満になるように風量を変化させる。ここでは粉塵濃度信号を０．１５ｍｇ／ｍ3とした。
【００３３】
また、制御装置８は風速信号手段５、一酸化炭素濃度信号手段６、粉塵濃度信号手段７の各信号手段の中で、もっとも風量が必要となる信号を排気装置２に送るものとする。
【００３４】
また、上記信号手段を受信した制御装置８は表示器９に各信号を伝達し、信号を受信した表示器９は連続的に現在の各信号の状況を表示するものとする。
【００３５】
また、一酸化炭素濃度信号手段６の一酸化炭素濃度信号が一定値未満の場合、制御装置８が排気装置２に停止の信号を伝達し、受信した排気装置２の運転を停止する。同時に給気口４が閉鎖する。
【００３６】
また、粉塵濃度信号手段７の粉塵濃度信号が一定値未満の場合、制御装置８が空気清浄装置３に停止の信号を伝達し、受信した空気清浄装置３の運転を停止する。
【００３７】
本実施の形態では、非喫煙空間の中を区画して形成した喫煙室１と、喫煙室内の排気を屋外に排出するための排気装置２と、室内の空気を循環させながら清浄雰囲気を形成する空気清浄装置３と、前記喫煙室１の壁面に非喫煙空間からの空気を前記喫煙室１内に吸引する給気口４と、前記給気口４に風速信号手段５と、室内に一酸化炭素濃度信号手段６と、粉塵濃度信号手段７とを設け、前記信号と連動して排気装置２の風量を変化させる制御装置８を備えたことで、空気清浄装置３の捕煙性能を維持することができる上に、捕煙範囲外に排出された煙も排気装置２により室外に排出され、非喫煙空間に汚染空気が流出することなく、各信号手段を受け空気清浄装置３と排気装置２を連動させることで、必要風量以上の能力を出さず、全体の消費電力を抑えることができ、喫煙室内を清浄に保つことができる。
【００３８】
（実施の形態２）
図２は、給気口４を複数個設けた喫煙室１の概略図である。実施の形態１と同じものについては同一の符号を記し、詳細な説明を省略する。
【００３９】
風速信号手段５を設けた給気口４と風速信号手段５を設けていない給気口４ａ、４ｂの開口面積の関係は給気口４＞給気口４ａ、４ｂとする。非喫煙空間より給気口４を通過して吸入される清浄空気の風速は開口面積に反比例するので通過風速が給気口４＜給気口４ａ、４ｂとなり、給気口４の風速信号を確認することで、その他の給気口４の風速は一定値以上を満たすことができる。
【産業上の利用可能性】
【００４０】
本発明の喫煙室は、喫煙室に関し、喫煙などによって喫煙室内の空気が汚染されるのを防止し、かつ喫煙室から煙が漏れて流出しないような気流を生じさせ、分煙性能を向上させた喫煙室として有効である。
【図面の簡単な説明】
【００４１】
【図１】本発明の第１の実施の形態を表す構成図
【図２】本発明の第２の実施の形態を表す概略図
【符号の説明】
【００４２】
１    喫煙室
２    排気装置
３    空気清浄装置
４    給気口
４ａ  給気口
４ｂ  給気口
５    風速信号手段
６    一酸化炭素濃度信号手段
７    粉塵濃度信号手段
８    制御装置
９    表示器
１０  吸込口
１１  フィルター
１２  ファン
１３  吹出口
１４  排出流
【図１】
2005308237.tif 000003
【図２】
2005308237.tif 000004